(57)【特許請求の範囲】
【請求項１】
開口部を有する少なくとも２つの樹脂製の筐体と、配線挿通路を有する連結部材とを備えた電気機器収納用箱であって、
前記筐体は、箱本体と、当該箱本体の前側に開閉可能に設けられる扉部とを備え、前記箱本体の上板が、前側から後側に向かうにつれて下方に傾斜して形成されたものであり、
前記連結部材は四角枠状に形成されたものであり、
前記２つの筐体の前記開口部を有する壁面同士が対向し、
前記連結部材を介在させて連結することで、当該２つの筐体の内部空間が前記配線挿通路を通して連絡していることを特徴とする、電気機器収納用箱。
【請求項２】
前記連結部材は、前側から後側に向かうにつれて幅広に形成されていることを特徴とする、請求項１に記載の電気機器収納用箱。
【請求項３】
２つの前記筐体が前記連結部材を介在させて上下に連結しており、
少なくとも下段側の筐体の上部に庇部を備えていることを特徴とする、請求項１または２に記載の電気機器収納用箱。
【発明の詳細な説明】
【技術分野】
【０００１】
本発明は、電気機器収納用箱の構造に関する。
【背景技術】
【０００２】
従来、分電盤を収納する電気機器収納用箱においては、電力会社と電力需要者との間の責任境界を明確にするという目的から、電力量計を収納するスペースと、ブレーカ等の各種電気機器を収納するスペースとが、内部の隔壁部材や仕切板部材で分割されている。例えば特許文献１には、隔壁部材で分割した上下のスペース部をそれぞれ別々に施蓋する扉を設けた電気機器収納用箱が開示されている。
【０００３】
電気機器収納用箱は、一般には金属製材で形成されるが、塩害等に対する耐候性が要求される屋外での使用環境向けに、例えばＦＲＰ等の合成樹脂製の電気機器収納用箱も広く採用されている（例えば、特許文献２参照）。
【先行技術文献】
【特許文献】
【０００４】
【特許文献１】特開２０００−１５２４３５号公報
【特許文献２】特開２００６−２０３０９３号公報
【発明の概要】
【発明が解決しようとする課題】
【０００５】
しかし、２つ以上の独立した収納空間に別々の扉を有する単体の筐体を樹脂で成型する場合には、金型が大型となりコストが嵩むという課題があった。また、金属で筐体を形成する場合でも、大判の板金を取り扱うことができる大型のプレス機が必要となる等、同じくコスト高の課題があった。
【０００６】
そこで、本発明は、少なくとも２つ以上の独立した収納空間を備える電気機器収納用箱であって、大型の金型を必要とせずに安価に製造することができる等の電気機器収納用箱を提供することを目的としている。
【課題を解決するための手段】
【０００７】
上記課題を解決するためになされた本発明は、開口部を有する少なくとも２つの樹脂製の筐体と、配線挿通路を有する連結部材とを備えた電気機器収納用箱であって、前記筐体は、箱本体と、当該箱本体の前側に開閉可能に設けられる扉部とを備え、前記箱本体の上板が、前側から後側に向かうにつれて下方に傾斜して形成されたものであり、前記連結部材は四角枠状に形成されたものであり、前記２つの筐体の前記開口部を有する壁面同士が対向し、前記連結部材を介在させて連結することで、当該２つの筐体の内部空間が前記配線挿通路を通して連絡していることを特徴とする。
【０００８】
この構成によれば、電気機器収納用箱内に個々の筐体で分割した１つの閉空間を形成でき、各筐体内に設置される電気機器同士を、連結部材の配線挿通路を通したケーブルでつなぐことができる。また、各筐体を、それぞれ同一の金型を用いて成型することで、従来の筐体よりも小さな金型で安価に製造することができる。
【００１０】
この構成によれば、また、屋外設置時に箱本体の上板に水が溜まりにくくすることが可能である。
【００１１】
また、電気機器収納用箱において、前記連結部材は、前側から後側に向かうにつれて幅広に形成されていることが好ましい。
【００１２】
この構成によれば、筐体と連結部材とが接合する箇所を密着して固定できるため、防水性を高めることができる。
【００１３】
また、電気機器収納用箱において、前記連結部材は四角枠状に形成されている。
【００１４】
この構成によれば、配線挿通路を有する連結部材を簡単にそして軽量に形成することができる。
【００１５】
また、電気機器収納用箱において、２つの前記筐体が前記連結部材を介在させて上下に連結しており、少なくとも下段側の筐体の上部に庇部を備えていることが好ましい。
【００１６】
この構成によれば、庇部が上下の筐体間の隙間を覆い隠すように形成されるため、連結部材が前面側から見えにくくなる。そのため、美観において優れた電気機器収納用箱を提供することができる。
【発明の効果】
【００１７】
本発明の電気機器収納用箱によれば、配線挿通路を有する連結部材を介して、少なくとも２つの樹脂製の筐体を連結したので、２つ以上の独立した収納空間を備える筐体を、大型の金型を必要とせずに安価に製造することができる。
また、電気機器収納用箱内に個々の筐体で分割した１つの閉空間を形成でき、各筐体内に設置される電気機器同士を、連結部材の配線挿通路を通したケーブルでつなぐことができる。また、各筐体を、それぞれ同一の金型を用いて成型することで、従来の筐体よりも小さな金型で安価に製造することができる。
また、配線挿通路を有する連結部材を簡単にそして軽量に形成することができる。開放部に電気機器収納用箱と連結部材とを接続するボルトの収納空間とすることができ、配線挿通路に干渉することなく連結可能である。
また、屋外設置時に箱本体の上板に水が溜まりにくくすることが可能である。筐体と連結部材とが接合する箇所に余分な溝が形成されず、防水性を高めることができる。また、筐体内への雨水等の浸入を防ぐとともに、扉部の隙間に雨水が溜まるのを防ぐことができる。したがって、例えば扉部を開放したときに雨水が飛散する等の事態を回避することができる。
【図面の簡単な説明】
【００１８】
【図１】本発明の一実施形態による電気機器収納用箱を斜め前方から見た斜視図である。
【図２】図１の電気機器収納用箱を斜め後方から見た斜視図である。
【図３】図１の電気機器収納用箱の分解斜視図である。
【図４】本発明の一実施形態による連結部材の平面図および一部断面側面図である。
【図５】図１の電気機器収納用箱の側面図である。
【発明を実施するための形態】
【００１９】
図１は、本発明の一実施形態による電気機器収納用箱１を斜め前方から見た斜視図である。また、図２は、電気機器収納用箱１を斜め後方から見た斜視図である。また、図３は、電気機器収納用箱１の構成を示す分解斜視図である。
【００２０】
本実施形態による電気機器収納用箱１は、それぞれ箱本体１１と扉部１２とを備えた少なくとも２個の合成樹脂製の筐体１０、１０が、連結部材２０を介在させて連結することにより組み立てられている。
【００２１】
電気機器収納用箱１の筐体１０および扉部１２は、耐候性や強度に優れたＦＲＰ等の熱硬化性樹脂により成型される。また、リサイクル性を考慮して、ＡＢＳやポリカーボネートなどの熱可塑性樹脂を用いて成型されるものでもよい。
【００２２】
１つの筐体１０は、内部に電気機器を収納可能なスペースを有する箱本体１１と、蝶番部１４、１４に枢支されて箱本体１１に開閉可能に設けられる扉部１２とを備えている。図３に示すように、扉部１２を開放した箱本体１１の奥には、電気機器を取り付けるための電気機器取付板４０が固定されている。
【００２３】
また、箱本体１１の上板１１ｕ、左右の側板１１ｌ、１１ｒ、下板１１ｄは、前側（扉部１２がある側）から、後側（電気機器取付盤４０がある側）に向かうにつれて、箱本体１１全体がしぼむように傾斜して形成されている。このような形状とすることにより、箱本体１１を樹脂成型する際のアンダーカットをなくし、金型から箱本体１１を容易に取り出せるようにしている。また、箱本体１１の少なくとも上板１１ｕを下方に傾斜して形成したので、屋外設置時にこの上板１１ｕで水を流下させ溜まりにくくしている。
【００２４】
図１〜３に示される上下の筐体１０の各箱本体１１は、全体の寸法および形状は共通している。したがって、各箱本体１１を同一の金型を用いて成型することができる。このため、電気機器の収納空間を一体化した従来の筐体よりも小さな金型を用いることができ、製造コストをより安価にすることができる。なお、連結部材２０が接合される開口部１３は、上下の筐体１０の各々に異なる面に形成される。
【００２５】
また、図示はしていないが、箱本体１１の上下両面に開口部１３、１３を予め形成しておき、開口部１３、１３同士を連結部材２０に突き合わせて箱本体１１、１１、・・・が多段（３段以上）に連結できるようにしてもよい。このような筐体１０を多段に連結した場合に残される、両端の開口部１３、１３を塞ぐための蓋部材を着脱可能に設けてもよい。
【００２６】
図３に示すように、扉部１２の裏面側には、扉部１２を閉じたときに箱本体１１に係止する係止機構部１６が設けられている。係止機構部１６は、扉部１２の前面の開閉操作部１５に連動して動作するように構成されている。すなわち、使用者が開閉操作部１５を開位置に操作することにより、扉部１２側の係止機構部１６と箱本体１１側の被係止部との係止状態が解除され、扉部１２を開くことができる。
【００２７】
なお、通常は、係止機構部１６に施錠部が組み込まれており、開閉操作部１５に設けられる鍵穴１５ａに所定の鍵を挿入して開錠操作をしなければ、扉部１２を開くことができないようになっている。また、上下の扉部１２、１２に、それぞれ別々の鍵で開錠される施錠部を組み込んでもよいし、共通の鍵で各扉部１２を開放できるようにしてもよい。また、例えば電力量計を収納する側の筐体１０の扉部１２のみに施錠部を組み込み、ブレーカ側の筐体１０の扉部１２には施錠部を組み込まないようにしてもよい。
【００２８】
また、図３に示すように、扉部１２の裏面には、外周枠１７の内側で当該外周枠１７に沿うリブ１８が、箱本体１１に向けて突出して形成されている。一方、箱本体１１には、前開口を囲んでパッキン１９が貼り付けられ、扉部１２を箱本体１１に閉じると、リブ１８がパッキン１９に当接し箱本体１１が密封されるように構成されている。これにより、箱本体１１内部への雨水や埃等の浸入を防止している。
【００２９】
また、扉部１２の外周枠１７とリブ１８との間の隙間に雨水が溜まると、扉部１２を開放したときにその雨水が飛散し、箱本体１１内の電気機器に触れてショートする危険もある。そのため、本実施形態では、箱本体１１の上部に、扉部１２側に向けて延びる庇部３４を備えている。このような庇部３４は、上下の筐体１０間の隙間を覆い隠すように形成されるため、連結部材２０が前面側から見えにくくなる。そのため、外観において優れた美観を有するものとなる。また、庇部３４により、筐体外に雨水を流して、扉部１２の外周枠１７とリブ１８との間の隙間に雨水等が溜まりにくくしている。
【００３０】
図３に示されるように、下段の筐体１０の上板１１ｕおよび上段の筐体１０の下板１１ｄをそれぞれ対向させ、連結部材２０の上面および下面を、四角枠状でシート状のパッキン３１、３２で挟んで上板１１ｕおよび下板１１ｄにそれぞれボルト３３、３３、・・・で結合することで、本実施形態による電気機器収納用箱１が組み立てられている。
【００３１】
ここで、図４（ａ）には連結部材２０の平面図が示され、図４（ｂ）には連結部材２０の一部を破断した部分断面側面図が示される。
【００３２】
本実施形態による連結部材２０は、断面がコ字状の４個の金属部材２０ａ、２０ｂ、２０ｃ、２０ｄが、各金属部材の開放部を内側にして四角枠状に溶接して形成される。なお、図４に示されるような形態の連結部材２０を、コ字状に成型した樹脂部材を組み合わせて製造してもよい。
【００３３】
また、４個の金属部材２０ａ、２０ｂ、２０ｃ、２０ｄで四角枠状に囲われて上下に貫かれる空間は、上下の筐体１０、１０に設置される電気機器との間で配線を通すための配線挿通路２１となっている。このような配線挿通路２１を有する連結部材２０は、複数の金属部材または樹脂部材を接合して、簡単にそして軽量に形成することができる。
【００３４】
また、連結部材２０における長手方向の金属部材２０ａ、２０ｂの上下の面には、上述した筐体１０の上板１１ｕおよび下板１１ｄにボルト締めするための複数のボルト挿通孔２０ｈ、２０ｈ、・・・が形成されている。なお、開放部を箱本体１１と連結部材２０とを接続するボルト３３、３３、・・・の収納空間とすることができ、配線挿通路２１に干渉することなく連結可能である。本実施形態においては開放部は内側を向けて形成しているが、外側に向けて形成するものでも良い。
【００３５】
特に図４（ｂ）に示されるように、連結部材２０は、前側から後側に向かうにつれて幅広に形成されている。また、短手方向の金属部材２０ｃ、２０ｄの上下面の傾斜は、筐体１０の上板１１ｕおよび下板１１ｄの傾斜に対応している。
【００３６】
すなわち、２個の筐体１０、１０を、連結部材２０を介して連結したとき、上段の箱本体１１の下板１１ｄの傾斜が、連結部材２０の上面の傾斜で補完され、下段の箱本体１１の上板１１ｕの傾斜が、連結部材２０の下面の傾斜で補完される。筐体１０と連結部材２０とがパッキン３１、３２を介して接合する箇所を密着させて固定できるため、防水性をより高めることができる。
【００３７】
本実施形態の電気機器収納用箱１によれば、上下の筐体１０、１０内の空間が連結部材２０の配線挿通路２１を通して連絡している。これにより、電気機器収納用箱１内に、個々の筐体１０、１０で分割される１つの閉空間を形成することができる。また、各筐体１０、１０内に設置される電気機器同士を、配線挿通路２１を通したケーブルでつなぐことができる。また、電気機器収納用箱１内は密閉されるため、雨水や埃等の浸入を防ぐことができる。したがって、屋外の設置に好適であり、しかも大型で安価に製造できる電気機器収納用箱１を提供することができる。
【符号の説明】
【００３８】
１  電気機器収納用箱
１０  筐体
１１  箱本体
１１ｕ  上板
１１ｄ  下板
１１ｌ、１１ｒ  側板
１２  扉部
１３  開口部
１４  蝶番部
１５  開閉操作部
１５ａ  鍵穴
１６  係止機構部
１７  外周枠
１８  リブ
１９  パッキン
２０  連結部材
２０ａ、２０ｂ、２０ｃ、２０ｄ  金属部材
２０ｈ  ボルト挿通孔
２１  配線挿通路
３１、３２  パッキン
３３  ボルト
３４  庇部
４０  電気機器取付盤
【図１】
0006675777.tif 000002
【図２】
0006675777.tif 000003
【図３】
0006675777.tif 000004
【図４】
0006675777.tif 000005
【図５】
0006675777.tif 000006